(57)【要約】【解決手段】この発明は、少なくとも一つの第一巻枠（１、５）と一つの第二巻枠（２０）と、両巻枠（１、５、２０）間の少なくとも一つの逆転スタンド（８、１３）と、圧延材のコイルをそれぞれのコイル引渡しステーションまで供給するか、或いは運び去る付属されたコイル輸送手段（２２、２３、２８）と、両コイル引渡しステーション（２４、２９）間にコイル輸送する横輸送手段（２７）とを備える帯状圧延材を圧延する圧延装備に関し、コイル引渡しステーション（２４、２９）には唯一共通コイル輸送手段（２５）が後方配置されていて、その共通コイル輸送手段によってコイルが横輸送手段（２７）から輸送できるか、或いはこの横輸送手段まで輸送できることを特徴とする。
2012503548.tif 000002
【特許請求の範囲】
【請求項１】
少なくとも一つの第一巻枠（１、５）と一つの第二巻枠（２０）と、両巻枠（１、５、２０）間の少なくとも一つの逆転スタンド（８、１３）と、圧延材のコイルをそれぞれのコイル引渡しステーションまで供給するか、或いは運び去る付属されたコイル輸送手段（２２、２３、２８）と、両コイル引渡しステーション（２４、２９）間にコイル輸送する横輸送手段（２７）とを備える帯状圧延材を圧延する圧延装備において、コイル引渡しステーション（２４、２９）には唯一共通コイル輸送手段（２５）が後方配置されていて、その共通コイル輸送手段によってコイルが横輸送手段（２７）から輸送できるか、或いはこの横輸送手段まで輸送できることを特徴とする圧延装備。
【請求項２】
圧延装備が逆転巻枠（５）の一つの前方に配列されている追加的巻解き巻枠（１）を包含することを特徴とする請求項１に記載の圧延装備。
【請求項３】
巻解き巻枠（１）には固有のコイル輸送手段（２２）が付属されていることを特徴とする請求項２に記載の圧延装備。
【請求項４】
横輸送手段（２７）が逆転巻枠（５、２０）に付属されたコイル輸送手段（２３、２８）の間に並びにこのコイル輸送手段（２３、２８）の一方と巻解き巻枠（１）に付属されたコイル輸送手段（２２）との間に移行できることを特徴とする請求項３に記載の圧延装備。
【請求項５】
横輸送手段（２７）には、唯一共通コイル輸送手段（２５）が後方配置されていて、その共通コイル輸送手段によってコイルが横輸送手段（２７）から輸送できるか、或いはこの横輸送手段まで輸送できることを特徴とする請求項４に記載の圧延装備。
【請求項６】
逆転巻枠（５、２０）には共通流出装置が付属されていて、特に計量器、コイル結束機、コイルマーク付け機などが付属されていることを特徴とする請求項１乃至５のいずれか一項に記載の圧延装備。
【請求項７】
１８０°だけコイルを回転させる少なくとも一つの回転装置は圧延装備の現実の或いは選択された圧延方向とコイルの配列に依存してコイル流出口に存在することを特徴とする請求項１乃至６のいずれか一項に記載の圧延装備。
【請求項８】
少なくとも一つの回転装置は横輸送手段（２７）或いは少なくとも一つのコイル輸送手段（２２、２３、２８）、特に共通コイル輸送手段（２５）の少なくとも一方に一体化されていることを特徴とする請求項７に記載の圧延装備。
【請求項９】
共通コイル輸送手段（２５）が両逆転巻枠（５、２０）に付属されたコイル輸送手段（２３、２８）の一方の延長部に或いは横輸送手段（２７）の移行路に関する任意の位置に接続されていることを特徴とする請求項２乃至８のいずれか一項に記載の圧延装備。
【請求項１０】
共通コイル輸送手段（２５）が逆転巻枠（５、２０）の軸方向に或いは逆転巻枠（５、２０）の軸方向に垂直に移行できることを特徴とする請求項１乃至９のいずれか一項に記載の圧延装備。
【請求項１１】
共通コイル輸送手段（２５）が昇降梁として或いは他のコイル輸送手段として形成されていることを特徴とする請求項１乃至１０のいずれか一項に記載の圧延装備。
【請求項１２】
横輸送手段（２７）自体がコイル引渡しステーション（２４、２９、３０）の一つとして形成されていてコイルを直接に収容するように機能を果たすことを特徴とする請求項１乃至１１のいずれか一項に記載の圧延装備。
【発明の詳細な説明】
【技術分野】
【０００１】
この発明は、二つ或いは三つの巻枠と二つの巻枠の間の少なくとも一つの圧延スタンドとを備え且つ圧延材のコイルをそれぞれのコイル引渡しステーションへ供給するか、或いは運び去る付属されたコイル輸送手段を備え且つ両コイル引渡しステーションの間にコイルを輸送する横輸送手段を備える帯状圧延材を圧延する圧延装備に関する。
【背景技術】
【０００２】
この種の圧延装備は、欧州特許第０６１８０１８号明細書（特許文献１）から知られている。
【０００３】
公知の圧延装備は、選択された巻解き巻枠、少なくとも一つの他の巻枠、逆転巻枠として用いられる少なくとも二つの巻枠を装備されている。すべての到来するコイルが解き巻枠に与えられる。出発するコイルが他の巻枠或いは両他の巻枠から取り出される（巻上げ巻枠）。到達するコイルが巻枠に載せられ、この巻枠から取り出される圧延装備が存在する。この巻枠では解き巻枠と巻上げ巻枠が取り扱われている。巻解きと巻上げするのに用いられる巻枠が逆転巻枠と呼ばれる。
【０００４】
出発するコイルが両巻上げ巻枠の一方からそれぞれにコイル輸送ワゴンによって取り出される。このワゴンは、例えばコイル計量器、コイル結束機、コイルマーク付け機、コイル検査部などのような他の流出装置までコイルを輸送する。コイルが第一コイル輸送ワゴンから取り出され、他のコイル輸送ワゴンに或いは他の輸送装置に引渡される。
【０００５】
両巻上げ巻枠の各々が固有の輸送流出装置を装備していて、これは、両巻上げ巻枠の輸送流出装置が分離されていることを意味する。
【先行技術文献】
【特許文献】
【０００６】
【特許文献１】欧州特許第０６１８０１８号明細書
【発明の概要】
【発明が解決しようとする課題】
【０００７】
この発明の課題は、簡単に構成されていて、比較に僅かな構成部材から成る圧延装備を創作することである。それにより費用が節約され、高い輸送効率が達成される。
【０００８】
この発明によると、この課題は、前記種類の圧延装備では、コイル輸送のために、共通の輸送流出装置が後方配置されていることによって、解決される。
【０００９】
横輸送手段はコイルを共通の搬入装置、搬出装置、流入装置と流出装置の間に輸送する。
【００１０】
この発明による輸送論理学は、横輸送手段、特に横移送ワゴンを装備している。横移送ワゴンは、第一コイル輸送手段、特に両逆転巻枠の一方と横移送ワゴンの間に前後に移送するコイル輸送手段と横移送ワゴンの後方配置されたコイル輸送手段との間にコイルを輸送するのに用いられる。それは別のコイル輸送手段であるか、或いはけれどもこの機能が巻枠のコイル輸送手段も受け取る。
【００１１】
横移送ワゴンの後方に配置されたコイル輸送手段は、共通で唯一のコイル輸送手段として、特にコイル輸送手段として横移送ワゴンと共通の流出装置の間に用いられる。流出装置は、例えばコイル計量器、コイル結束機、コイルマーク付け機、コイル検査などである。適切に柔軟な移行可能な横輸送手段の使用によって、コイル輸送手段と流入／流出精密装置が削減される。この場合に、引渡しステーションが横移送ワゴンの移送範囲内の任意の箇所に配置されている。けれども、好ましくは引渡しステーションは、コイルが巻枠の後方配置されたコイル物輸送手段から横移送ワゴンへ引き渡される箇所に配置されている。
【００１２】
好ましい再現態様は、従属請求項、明細書と図面から明らかになる。
【００１３】
好ましい形式では、横輸送が巻解き巻枠にまで行われることが企図されている。それにより巻解き巻枠輸送の際に固有のコイル輸送手段が付属される。
【００１４】
好ましくは、この場合に横輸送手段が逆転巻枠に付属されたコイル輸送手段の間並びにこのコイル輸送手段と巻解き巻枠に付属されたコイル輸送手段の間に移送できる。これは圧延装備の追加的柔軟性を生み、というのは、コイルが逆転スタンドに両側面から供給し、それら側面から搬入されて、巻枠にまで輸送され得るからである。
【００１５】
この発明の他の好ましい構成には、横輸送手段に唯一の共通のコイル輸送手段が後方配置され、そのコイル輸送手段によってコイルが横輸送手段から離れ輸送されるか、或いはこの横輸送手段にまでこちらに輸送される。それによりこの場合には、共通のコイル輸送手段が巻解き巻枠にまでこちらに輸送されなければならないか、或いはこの巻解き巻枠から離れて輸送されるべきであるそのような結束物も輸送する。
【００１６】
同様に、唯一の共通のコイル輸送手段の使用は、逆転巻枠に共通の流出装置、特に計量器、コイル結束機、コイルマーク付け機、などが付属されている。
【００１７】
１８０°だけコイルを回転させる少なくとも一つの回転装置が圧延装備の現実の或いは選択された圧延方向やコイルの配列に依存して流出口に存在するときに、装備の柔軟性がなお更に高められる。
【００１８】
この場合には、少なくとも一つの回転装置が好ましくは横移送ワゴン或いは少なくとも一つのコイル輸送手段、特に共通のコイル輸送手段の少なくとも一方に一体化される。
【００１９】
この発明の実施態様には、共通のコイル輸送手段が両逆転巻枠に付属されたコイル輸送手段の一方の延長部に、或いは横輸送手段の移送路に関する任意の位置に接続されていることが企図されている。
【００２０】
この発明の他の好ましい実施態様は、共通のコイル輸送手段が逆転巻枠の軸方向に或いは逆転巻枠の軸方向と垂直に移送されることにある。
【００２１】
多数の共通のコイル輸送手段の実施態様が存在し、これらは例えば昇降梁として或いはコイル輸送手段として形成されている。
【００２２】
横輸送手段がみずからコイルを直接に収容するコイル引渡しステーションとして形成されて機能を果たすならば、これは、コイル引渡しステーションが独自の静止不動装置として省略され得る利点を有する。コイルは直接にコイル輸送手段から横輸送手段に移されるか、或いはこの横輸送手段により受けられ、静止不動コイル引渡しステーションに一時貯蔵されないように使用する。
【００２３】
次に、この発明は、図面に基づいて実施態様で詳細に説明される。
【図面の簡単な説明】
【００２４】
【図１】巻解き巻枠、二つの巻上げ巻枠（或いは逆転巻枠）と二つの逆転スタンドを包含する圧延装備の概略的側面図を示す。
【図２】図１による圧延装備に関する平面図を示す。
【発明を実施するための形態】
【００２５】
この発明による圧延装備が二つ或いは三つの巻枠、即ち巻枠１、５と２０を包含する。
【００２６】
巻枠１は、巻解き巻枠として利用され得る。巻枠５と２０は巻解き巻枠、段付き巻枠と可逆巻枠として利用され得る。
【００２７】
圧延スタンド８、１３が一方向に限られた駆動で並びに逆転駆動で稼働される。圧延スタンドはそれぞれに作業ローラ１０と１１或いは１５、１６並びに支持ローラ９と１２或いは１４と１７を包含する。圧延スタンド８、１３はさらに、ここに図示されていないローラ、例えば中間ローラを包含する。両逆転スタンドの間にストリップガイドロールが存在し、例えば押さえロール８、９とストリップ張力測定ローラを存在する。
【００２８】
各両巻枠５と２０からそれぞれ一つの輸送路がコイル輸送ワゴン２３或いは２８（図２）により引渡しステーション２４或いは２９を介して一つの横輸送路まで案内され、その横輸送路の上を横移送ワゴン２７が移動する。引渡しステーション２４、２９において結束物輸送ワゴン２３、２８がそのコイルを横移送ワゴン２７に引渡しする。横移送ワゴン２７は同時に結束物を１８０°だけ垂直軸に関して回転させる可能性を提供するから、コイルを巻枠２０から搬入する可能性を提供し、コイルを引き続いて巻枠５まで連れ戻され、そこに新たに装填するので、コイルがそこで再びコイルヘッドの正しい位置を有する。
【００２９】
他方、コイルが横移送ワゴン２７から引渡しステーション２４を介して共通のコイル輸送手段２５に引き渡され得る。このコイル輸送手段から圧延されたコイルが巻枠５、２０に共通の流出装置或いはコイル保管場所２６に引き渡される。
【００３０】
巻枠１には、コイル輸送ワゴン２２を備える輸送路が付属されていて、このコイル輸送ワゴンが巻枠１と流出装置或いは保管装置２１の間に前後移行する。横移送ワゴン２７の輸送路が引渡しステーション３０の周りに拡張され得て、コイルを巻枠１或いは流出装置或いは保管装置或いはコイル保管箇所２１に受け取る或いは引き渡す。それにより引渡しステーション３０を通して装備の柔軟性が時々増大される。
【００３１】
特にコイル輸送ワゴンとして形成されたコイル輸送手段２５は一つの保管場所２６或いは複数の他のコイル保管場所に到着できる。コイル輸送手段２５は逆転巻枠５に対して或いは逆転巻枠２０に対して或いは横移送ワゴン２７の移行までの任意の位置に配置されている。コイル輸送手段２５は巻枠１或いは逆転巻枠５、２０の軸方向に移行できるけれども、コイル輸送手段は逆転巻枠５、２０の軸方向に垂直に移行する。これは、コイル輸送手段２５の輸送量が搬送すべきコイルの数において十分であるときに、適切な回転性が仮定されて、コイル輸送手段２５が横移送ワゴン２７の機能を受け取ることを意味する。逆にコイル輸送手段２５がコイル輸送手段２３、２８の一つによって補われている。
【００３２】
横移送ワゴン２７上に存在する機能に対して追加的或いは選択的にコイルを１８０°だけ垂直軸に関して回転させるために、この機能がコイル輸送手段２２、２３、２８或いは２５の少なくとも一つに実現される。同様に各コイル輸送手段２２、２３、２８、横移送ワゴン２７と特に共通のコイル輸送ワゴン２５は、このワゴンが複数のコイル貯蔵箇所に同時に運ぶことができるように、構成されている。
【符号の説明】
【００３３】
１．．．．．巻枠
２．．．．．ストリップ移行テーブル
３．．．．．転向ロール
４．．．．．ストリップ移行テーブル
５．．．．．巻枠
６．．．．．ストリップ移行テーブル
７．．．．．転向ロール
８．．．．．圧延スタンド
９．．．．．支持ローラ
１０．．．．．作業ローラ
１１．．．．．作業ローラ
１２．．．．．支持ローラ
１３．．．．．作業ローラ
１４．．．．．支持ローラ
１５．．．．．作業ローラ
１６．．．．．作業ローラ
１７．．．．．支持ローラ
１８．．．．．転向ロール
１９．．．．．ストリップ移行テーブル
２０．．．．．巻枠
２１．．．．．コイル保管場所或いは保管装置
２２．．．．．コイル輸送ワゴン
２３．．．．．コイル輸送ワゴン
２４．．．．．引渡しステーション
２５．．．．．コイル輸送ワゴン
２６．．．．．コイル保管場所
２７．．．．．横移送ワゴン
２８．．．．．コイル輸送ワゴン
２９．．．．．引渡しステーション
３０．．．．．引渡しステーション
【図１】
2012503548.tif 000003
【図２】
2012503548.tif 000004
【国際調査報告】
2012503548.tif 000005
2012503548.tif 000006
2012503548.tif 000007
2012503548.tif 000008